(57)【要約】【課題】折曲部の曲げの向きに関わらず、接続線を保護することができる情報入力装置を提供する。【解決手段】第一保護シート４７は右カバー４Ｒから折曲部４Ｃ側に突出する。第二保護シート８０は左カバー４Ｌから折曲部４Ｃ側に突出する。第一保護シート４７の第一配置部４７Ａと第二保護シート８０の第二配置部８０Ａは、折曲部４Ｃの前面側で重なり、折曲部４Ｃと、ハーネス５０の中間部５２の屈曲部５２Ａとの間に配置される。情報入力装置１が逆向きに折り畳まれた場合でも、第一配置部４７Ａと第二配置部８０Ａは屈曲部５２Ａと折曲部４Ｃとの間で重なった状態を維持する。第一配置部４７Ａと第二配置部８０Ａは屈曲部５２Ａを曲がりの内面側から支え、第一配置部４７Ａおよび第二配置部８０Ａがない場合と比べ、屈曲部５２Ａの曲率半径Ｒ８を大きく確保することができる。【選択図】図７
2016024754.tif 000002
【特許請求の範囲】
【請求項１】
一対の表紙と、前記一対の表紙の間に重ねて配置された複数枚の用紙とが、各々の縁部の一部で綴じられた冊子状の記録媒体上で、筆記具によって入力される情報を取得可能な情報入力装置であって、
第一検出面を有し、前記第一検出面に近接する前記筆記具の位置を検出可能な板状体であって、前記一対の表紙のうちの第一表紙の紙面略全体と対向配置可能な第一検出装置と、
第二検出面を有し、前記第二検出面に近接する前記筆記具の位置を検出可能な板状体であって、前記一対の表紙のうちの第二表紙の紙面略全体と対向配置可能な第二検出装置と、
前記第一検出装置と前記第二検出装置とを連結する部材であって、
前記第一検出装置の前記第一検出面の反対側の面である第一裏面に対向配置され、前記第一検出装置を固定する固定部と、
前記第二検出装置の前記第二検出面の反対側の面である第二裏面に対向配置され、前記第二検出装置を前記第一検出装置に対して近接する方向および離間する方向に移動可能に保持する保持部と、
前記固定部と前記保持部とを連結し、前記第一検出面と前記第二検出面とが対向する第一向きと、前記第一裏面と前記第二裏面とが対向する第二向きとに折曲げ可能な折曲部と
を有する連結部材と、
前記第一検出装置に設けられた第一回路部と、
前記第二検出装置に設けられた第二回路部と、
可撓性を有する絶縁フィルム上に形成された複数の導電路を含み、前記第一回路部と前記第二回路部とを電気的に接続する接続線であって、
前記第一回路部に電気的に接続する第一端子部を含み、少なくとも一部が前記第一裏面と前記固定部との間に配置された第一接続部と、
前記第一接続部に接続し、少なくとも一部が前記第一検出装置と前記第二検出装置との間で延び、前記折曲部に対向配置された中間部と、
前記中間部に接続し、前記第二回路部に電気的に接続する第二端子部を含み、少なくとも一部が前記第二裏面と前記保持部との間に配置された第二接続部と
を含む接続線と、
可撓性を有するシート状の部材であって、前記連結部材の前記固定部および前記保持部の少なくとも一方に端部が固定され、前記折曲部と前記接続線の前記中間部との間に配置された配置部を有し、前記中間部が前記第一検出装置と前記第二検出装置との間で延びる第一方向に交差する第二方向において、前記配置部の長さが前記中間部の長さよりも長い保護部材と
を備えたことを特徴とする情報入力装置。
【請求項２】
前記保護部材は、
端部が前記連結部材の前記固定部に固定され、前記折曲部と前記接続線の前記中間部との間に配置された第一配置部を有する第一保護部材と、
端部が前記連結部材の前記保持部に固定され、前記折曲部と前記接続線の前記中間部との間に配置された第二配置部を有する第二保護部材と
を含み、
前記第一配置部および前記第二配置部の少なくとも一方は、前記中間部の部位のうち、前記折曲部の曲げに合わせて屈曲する部位である屈曲部と、前記折曲部との間に配置されることを特徴とする請求項１に記載の情報入力装置。
【請求項３】
前記保護部材の前記第一配置部と前記第二配置部とは、前記連結部材の前記折曲部の曲げの向きに関わらず、前記折曲部と前記接続線の前記屈曲部との間で、互いに厚み方向に重なって配置されたことを特徴とする請求項２に記載の情報入力装置。
【請求項４】
前記第二方向において、前記保護部材の前記第一配置部と前記第二配置部のうちの一方の長さは、他方の長さよりも長いことを特徴とする請求項３に記載の情報入力装置。
【請求項５】
前記接続線の前記第一接続部は、前記第一端子部と前記中間部との間に前記第二方向に延びる延伸部を含み、
前記第二方向において、前記保護部材の前記第一配置部の長さは前記第二配置部の長さよりも長く、且つ、前記延伸部の長さよりも長いことを特徴とする請求項４に記載の情報入力装置。
【請求項６】
前記第二方向において、前記第一配置部の両側の端部は、前記延伸部の両側の端部よりも、夫々１０ｍｍ以上外側に離れて位置することを特徴とする請求項５に記載の情報入力装置。
【請求項７】
前記第二方向において、前記第二配置部の両側の端部は、前記中間部の両側の端部よりも、夫々１０ｍｍ以上外側に離れて位置することを特徴とする請求項２から６のいずれかに記載の情報入力装置。
【請求項８】
前記連結部材の前記固定部は、前記第一検出装置を固定するシート状の固定部材を備え、
前記第一保護部材は、前記固定部材の一部位であることを特徴とする請求項２から７のいずれかに記載の情報入力装置。
【請求項９】
前記連結部材の前記保持部に固定され、前記第二検出装置の前記第二裏面と前記保持部との間に配置された前記第二接続部の部位のうち少なくとも一部を覆う第一被覆部材と、
前記第二検出装置に設けられ、前記第一被覆部材を前記第二裏面に沿って、前記第一方向に移動可能に支持する支持部と
をさらに備え、
前記第二保護部材は、前記第一被覆部材に固定されたことを特徴とする請求項２から８のいずれかに記載の情報入力装置。
【請求項１０】
前記連結部材は、前記接続線の前記中間部、前記第一保護部材の前記第一配置部、および前記第二保護部材の前記第二配置部を、前記折曲部との間に挟んで覆う第二被覆部材を備えたことを特徴とする請求項２から９のいずれかに記載の情報入力装置。
【発明の詳細な説明】
【技術分野】
【０００１】
本発明は、複数枚の用紙が綴じられた冊子状の記録媒体上で入力される情報を取得可能な情報入力装置に関する。
【背景技術】
【０００２】
紙等の記録媒体に記入される情報を電子化することができる情報入力装置が知られている（例えば特許文献１参照）。情報入力装置が内蔵するデジタイザは、専用の電子ペンが近接する位置の座標を取得する。情報入力装置は、デジタイザの検出面上に載置された記録媒体に電子ペンで記入された手書きのコンテンツを読み取り、座標データとして電子化することができる。
【０００３】
ところで、情報入力装置に、例えば手帳等、複数枚の用紙が綴じられた冊子状の記録媒体を装着し、見開き２ページに電子ペンで記入された情報を読み取りたい場合がある。この場合、一対のデジタイザを接続線で電気的に接続し、検出面とは反対側の裏面を覆うカバーで一対のデジタイザを連結した情報入力装置の構成が考えられる。運搬時には、デジタイザの検出面同士が対向する向きにカバーが折り曲げられることで、情報入力装置は、手帳を閉じ、二つ折りの状態にすることができる。接続線は、通常、カバーの内面に沿って設けられ、カバーの折り曲げに合わせて屈曲する屈曲部位を有する。屈曲部位において、接続線の曲げの曲率半径は、デジタイザが厚みを有することによって、比較的大きくなる。
【先行技術文献】
【特許文献】
【０００４】
【特許文献１】特開２０１４−３６２５０号公報
【発明の概要】
【発明が解決しようとする課題】
【０００５】
ところで、上記の情報入力装置は、一方のデジタイザに、例えばレポート用紙が装着された状態で使用される場合がある。この場合、情報入力装置は、デジタイザの裏面同士が対向する向きにカバーが折り曲げられた状態で使用される可能性がある。接続線の屈曲部位における曲げの曲率半径は、検出面同士が対向する向きにカバーが折り曲げられた場合よりも小さくなるため、接続線の折損、導電路の断線等を招く可能性があった。
【０００６】
本発明は、折曲部の曲げの向きに関わらず、接続線を保護することができる情報入力装置を提供することを目的とする。
【課題を解決するための手段】
【０００７】
本発明の一態様によれば、一対の表紙と、前記一対の表紙の間に重ねて配置された複数枚の用紙とが、各々の縁部の一部で綴じられた冊子状の記録媒体上で、筆記具によって入力される情報を取得可能な情報入力装置であって、第一検出面を有し、前記第一検出面に近接する前記筆記具の位置を検出可能な板状体であって、前記一対の表紙のうちの第一表紙の紙面略全体と対向配置可能な第一検出装置と、第二検出面を有し、前記第二検出面に近接する前記筆記具の位置を検出可能な板状体であって、前記一対の表紙のうちの第二表紙の紙面略全体と対向配置可能な第二検出装置と、前記第一検出装置と前記第二検出装置とを連結する部材であって、前記第一検出装置の前記第一検出面の反対側の面である第一裏面に対向配置され、前記第一検出装置を固定する固定部と、前記第二検出装置の前記第二検出面の反対側の面である第二裏面に対向配置され、前記第二検出装置を前記第一検出装置に対して近接する方向および離間する方向に移動可能に保持する保持部と、前記固定部と前記保持部とを連結し、前記第一検出面と前記第二検出面とが対向する第一向きと、前記第一裏面と前記第二裏面とが対向する第二向きとに折曲げ可能な折曲部とを有する連結部材と、前記第一検出装置に設けられた第一回路部と、前記第二検出装置に設けられた第二回路部と、可撓性を有する絶縁フィルム上に形成された複数の導電路を含み、前記第一回路部と前記第二回路部とを電気的に接続する接続線であって、前記第一回路部に電気的に接続する第一端子部を含み、少なくとも一部が前記第一裏面と前記固定部との間に配置された第一接続部と、前記第一接続部に接続し、少なくとも一部が前記第一検出装置と前記第二検出装置との間で延び、前記折曲部に対向配置された中間部と、前記中間部に接続し、前記第二回路部に電気的に接続する第二端子部を含み、少なくとも一部が前記第二裏面と前記保持部との間に配置された第二接続部とを含む接続線と、可撓性を有するシート状の部材であって、前記連結部材の前記固定部および前記保持部の少なくとも一方に端部が固定され、前記折曲部と前記接続線の前記中間部との間に配置された配置部を有し、前記中間部が前記第一検出装置と前記第二検出装置との間で延びる第一方向に交差する第二方向において、前記配置部の長さが前記中間部の長さよりも長い保護部材とを備えた情報入力装置が提供される。
【０００８】
本態様において、連結部材の折曲部が第二向きに折り曲げられた場合に、接続線の中間部と折曲部との間に配置された保護部材の配置部が、接続線を曲げの内面側で支える。故に、配置部は、接続線の曲げの曲率半径を、配置部がない場合と比べて大きくすることができ、接続線を、折損、導電路の断線等から保護することができる。
【０００９】
本態様において、前記保護部材は、端部が前記連結部材の前記固定部に固定され、前記折曲部と前記接続線の前記中間部との間に配置された第一配置部を有する第一保護部材と、端部が前記連結部材の前記保持部に固定され、前記折曲部と前記接続線の前記中間部との間に配置された第二配置部を有する第二保護部材とを含んでもよい。前記第一配置部および前記第二配置部の少なくとも一方は、前記中間部の部位のうち、前記折曲部の曲げに合わせて屈曲する部位である屈曲部と、前記折曲部との間に配置されてもよい。
【００１０】
本態様において、固定部側と保持部側から夫々第一配置部と第二配置部を延ばすことで、折曲部の曲げに伴い第一配置部と第二配置部の互いの位置関係が変化しても、第一配置部と第二配置部は、中間部と折曲部の間に配置された状態を維持することができる。そして、連結部材の折曲部が第二向きに折り曲げられた場合に、第一配置部および第二配置部の少なくとも一方が、接続線の屈曲部と折曲部との間に配置され、接続線を曲げの内面側で支える。故に、第一配置部および第二配置部の少なくとも一方は、接続線の屈曲部における曲げの曲率半径を、配置部がない場合と比べて大きくすることができ、接続線を、折損、導電路の断線等から保護することができる。
【００１１】
本態様において、前記保護部材の前記第一配置部と前記第二配置部とは、前記連結部材の前記折曲部の曲げの向きに関わらず、前記折曲部と前記接続線の前記屈曲部との間で、互いに厚み方向に重なって配置されてもよい。本態様において、第一配置部と第二配置部は、折曲部の曲げの向きに関わらず、屈曲部と折曲部との間で重なって配置される。すなわち、第一配置部と第二配置部は、折曲部の曲げに伴い互いの位置関係が変化しても、屈曲部と折曲部との間で重なった状態を維持することができる。よって、第一配置部と第二配置部は、連結部材の折曲部が第二向きに折り曲げられた場合に、接続線を曲げの内面側で二重に支えることができる。故に、第一配置部と第二配置部とは、接続線の屈曲部における曲げの曲率半径を、配置部がない場合と比べて大きくすることができ、接続線を、折損、導電路の断線等から保護することができる。
【００１２】
本態様において、前記第二方向において、前記保護部材の前記第一配置部と前記第二配置部のうちの一方の長さは、他方の長さよりも長くてもよい。折曲部を挟んで固定部と保持部との間にひねりが生じた場合、第一配置部と第二配置部とが第二方向にずれる可能性がある。第一配置部と第二配置部の一方が他方より第二方向に長いので、ひねりが生じても、第一配置部と第二配置部は、前記折曲部と前記接続線の前記屈曲部との間で重なりを維持し、第一方向において隙間を生じない。故に、連結部材の折曲部が第二向きに折り曲げられた場合に、第一配置部と第二配置部は、接続線を曲げの内面側で二重に支えることができる。よって、第一配置部と第二配置部とは、接続線の屈曲部における曲げの曲率半径を、配置部がない場合と比べて大きくすることができ、接続線を、折損、導電路の断線等から保護することができる。
【００１３】
本態様において、前記接続線の前記第一接続部は、前記第一端子部と前記中間部との間に前記第二方向に延びる延伸部を含んでもよい。前記第二方向において、前記保護部材の前記第一配置部の長さは前記第二配置部の長さよりも長く、且つ、前記延伸部の長さよりも長くてもよい。第一保護部材の第一配置部は接続線の延伸部よりも第二方向に長いので、折曲部を挟み固定部と保持部との間においてひねりを生じ、延伸部が折曲部側にはみ出た場合でも、延伸部は、折曲部との間に第一配置部を配置させることができる。故に、連結部材の折曲部が第二向きに折り曲げられた場合に、第一配置部は、延伸部を曲げの内面側で支えることができ、延伸部を、折損、導電路の断線等から保護することができる。
【００１４】
本態様において、前記第二方向において、前記第一配置部の両側の端部は、前記延伸部の両側の端部よりも、夫々１０ｍｍ以上外側に離れて位置してもよい。また、前記第二方向において、前記第二配置部の両側の端部は、前記中間部の両側の端部よりも、夫々１０ｍｍ以上外側に離れて位置してもよい。第一配置部および第二配置部は、連結部材の外部から折曲部を通して内部に侵入した静電気が接続線に向かう経路において、静電気を回り込ませる沿面距離を確保することができる。故に、保護部材は、接続線を静電気から保護することができる。
【００１５】
本態様において、前記連結部材の前記固定部は、前記第一検出装置を固定するシート状の固定部材を備えてもよい。前記第一保護部材は、前記固定部材の一部位であってもよい。第一保護部材を固定部材の一部位として設けることで部品点数を減らすことができ、情報入力装置の組み立てを容易にすることができる。また、第一保護部材を固定部に確実に固定することができる。
【００１６】
本態様は、前記連結部材の前記保持部に固定され、前記第二検出装置の前記第二裏面と前記保持部との間に配置された前記第二接続部の部位のうち少なくとも一部を覆う第一被覆部材と、前記第二検出装置に設けられ、前記第一被覆部材を前記第二裏面に沿って、前記第一方向に移動可能に支持する支持部とをさらに備えてもよい。前記第二保護部材は、前記第一被覆部材に固定されてもよい。折曲部を挟んで固定部と保持部との間にひねりが生じた場合、接続線の中間部が折曲部に対して位置ずれする可能性がある。この場合に、中間部に接続する第二接続部と、第二接続部を覆う第一被覆部材が、中間部の位置ずれに合わせて動くので、第二保護部材は、第一被覆部材とともに中間部の位置ずれに合わせて動く。故に、中間部が折曲部に対して位置ずれしても、第二配置部は、中間部と折曲部との間に配置された状態を維持することができ、接続線を、折損、導電路の断線等から保護することができる。
【００１７】
本態様において、前記連結部材は、前記接続線の前記中間部、前記第一保護部材の前記第一配置部、および前記第二保護部材の前記第二配置部を、前記折曲部との間に挟んで覆う第二被覆部材を備えてもよい。折曲部が第二向きに曲げられた場合、第二被覆部材は、接続線を覆い隠すことができる。折曲部が第一向きに曲げられた場合、第二被覆部材は、接続線が折曲部の曲げの内面に沿って曲がるように接続線を押さえ、曲げの向きを案内することができる。
【図面の簡単な説明】
【００１８】
【図１】情報入力装置１の全体構成図である。
【図２】ノート５が装着され、開かれた状態の情報入力装置１の斜視図である。
【図３】開かれた状態の外装カバー４およびハーネス５０の正面図である。
【図４】検出装置２Ｌ，２Ｒの分解斜視図である。
【図５】後筐体９Ｌに組み付けられた状態のホルダ６０およびハーネス５０と、第二保護シート８０および第一保護シート４７との位置関係を示す斜視図である。
【図６】情報入力装置１が正向きに折り畳まれた状態において、ハーネス５０、第一保護シート４７および第二保護シート８０の位置関係を示す斜視図である。
【図７】情報入力装置１が逆向きに折り畳まれた状態において、ハーネス５０、第一保護シート４７および第二保護シート８０の位置関係を示す斜視図である。
【発明を実施するための形態】
【００１９】
以下、本発明の実施形態について、図面を参照して説明する。参照する図面は、本発明が採用し得る技術的特徴を説明するために用いられるものである。図面に記載されている装置の構成等は、それのみに限定する趣旨ではなく、単なる説明例である。
【００２０】
以下の説明では、図２の上側、下側、左上側、右下側、左下側、右上側を、夫々、情報入力装置１の前側、後側、左側、右側、下側、上側と定義する。情報入力装置１の構成要素である外装カバー４と検出装置２Ｌの方向は、便宜上、情報入力装置１が組み立てられた状態を基準に、情報入力装置１の方向に倣って定義する。同様に、情報入力装置１に装着するノート５の方向は、便宜上、ノート５が情報入力装置１に装着された状態を基準に、情報入力装置１の方向に倣って定義する。図１は、情報入力装置１が開閉される途中の状態を示す。図２は、情報入力装置１が開かれた状態を示す。但し、図６、図７においては、外装カバー４に組み付けられた検出装置２Ｒの方向を基準に、情報入力装置１の方向を定義する。図６は、情報入力装置１が閉じられた状態を示す。図７は、情報入力装置１が逆向きに折り畳まれた状態を示す。
【００２１】
図１〜図３を参照し、本実施形態に係る情報入力装置１について説明する。図１に示す情報入力装置１は、ユーザが携行可能なタブレット型の手書き入力装置である。情報入力装置１は、外装カバー４に、２つの板状の検出装置２Ｌ，２Ｒが組み付けられた状態で提供される。外装カバー４は、前側を見開き面側として左右方向に折り畳み（つまり、二つ折り）可能に構成される。外装カバー４は、左カバー４Ｌおよび右カバー４Ｒを含む。検出装置２Ｌは左カバー４Ｌに配置され、検出装置２Ｒは右カバー４Ｒに配置される。ユーザは、冊子状の記録媒体、例えばノート５を検出装置２Ｌ，２Ｒに装着し、電子ペン６でノート５に情報を記入する。情報入力装置１は、検出装置２Ｌ，２Ｒを用いて、ノート５に記入された情報を読み取ることができる。電子ペン６は、ノート５にインクで情報（文字、記号、図形、数字等）を記入可能、且つ、記入された情報を検出装置２Ｌ，２Ｒに入力可能な筆記具である。本実施形態の電子ペン６は、内部に、周知の共振（同調）回路を構成する可変容量コンデンサ、コイル等（図示略）を備える。検出装置２Ｌ，２Ｒは、公知の電磁誘導方式で、電子ペン６が近接した時、電子ペン６の位置を検出可能である。
【００２２】
図１、図２に示すように、検出装置２Ｌ，２Ｒは、前面にノート５を固定可能に構成されている。具体的には、検出装置２Ｌ，２Ｒは、前面に、ノート５の左表紙５Ｌ，右表紙５Ｒを固定する際の位置決めを担う凹状の位置決め部２１Ｌ，２１Ｒを夫々有する。位置決め部２１Ｌは、上方、左方および下方に段差を有し、右方には段差を有しない。位置決め部２１Ｌの上方、左方および下方の段差は、ノート５の左表紙５Ｌの上方、左方および下方の縁部に接触することで、ノート５を検出装置２Ｌに対して位置決めする。位置決め部２１Ｌは、凹部内で右辺近傍位置に、微粘着性の接着部２２Ｌ（図１参照）を有する。接着部２２Ｌは、ノート５の左表紙５Ｌを、容易に剥離可能な状態で、位置決め部２１Ｌに接着固定する。位置決め部２１Ｒは、上方、右方および下方に段差を有し、左方には段差を有しない。位置決め部２１Ｒの上方、右方および下方の段差は、ノート５の右表紙５Ｒの上方、右方および下方の縁部に接触することで、ノート５を検出装置２Ｒに対して位置決めする。位置決め部２１Ｒは、凹部内で左辺近傍位置に微粘着性の接着部２２Ｒ（図１参照）を有する。接着部２２Ｒは、ノート５の右表紙５Ｒを、容易に剥離可能な状態で、位置決め部２１Ｒに接着固定する。
【００２３】
図３に示すように、外装カバー４は、折り曲げられていない状態では、左右方向に長い矩形状の板状体である。外装カバー４は、検出装置２Ｌを保持する左カバー４Ｌと、検出装置２Ｒを固定する右カバー４Ｒと、左カバー４Ｌと右カバー４Ｒとを左右中央で連結する折曲部４Ｃとを含む。外装カバー４は、外力に応じて変形可能な柔軟性を有する素材（例えば合成皮革またはナイロン（nylon））で作製されている。外装カバー４は、右カバー４Ｒと左カバー４Ｌの内部に、夫々、絶縁性を有するシート（図示略）が織り込まれている。シートは、夫々、右カバー４Ｒと左カバー４Ｌの略全面に配置されている。シートは、外装カバー４の後面側で生じた静電気が、右カバー４Ｒおよび左カバー４Ｌの織り目を厚み方向に通過し、検出装置２Ｌ，２Ｒに到達することを難しくする。
【００２４】
折曲部４Ｃは、上下方向に延びる軸線ＡＸ（図１参照）に沿って、前面を内側にして折り曲げることができる。即ち、外装カバー４は、折曲部４Ｃを折り曲げることで、折り曲げられていない状態から、検出装置２Ｌと検出装置２Ｒの検出面２０Ｌ，２０Ｒ（位置決め部２１Ｌ，２１Ｒにおける前面）が互いに対向する向き（以下、「正向き」ともいう。）に折り畳むことができる（図６参照）。また、折曲部４Ｃは、軸線ＡＸに沿って、後面を内側にして折り曲げることも可能である。即ち、外装カバー４は、折曲部４Ｃを折り曲げることで、折り曲げられていない状態から、検出装置２Ｌと検出装置２Ｒの後面２６Ｌ，２６Ｒ（図４参照）が互いに対向する向き（以下、「逆向き」ともいう。）に折り畳むこともできる（図７参照）。
【００２５】
外装カバー４は、右カバー４Ｒに、検出装置２Ｒを固定するための固定シート４１Ｒを備える。固定シート４１Ｒは、例えば透明の軟質塩化ビニールシートである。固定シート４１Ｒは、正面視で上下方向に長い矩形状の取付シート４６と、取付シート４６の左端の一部から左方に突出する矩形状の第一保護シート４７を含む。取付シート４６は、上辺、右辺および下辺の三辺が外装カバー４の縁部４５に織り込まれ、左辺のうち第一保護シート４７の設けられていない部位が折曲部４Ｃに織り込まれることで、外装カバー４に固定される。第一保護シート４７は、折曲部４Ｃ側に延びる。第一保護シート４７の詳細については後述する。検出装置２Ｒは、例えば両面粘着テープ等で後面２６Ｒ（図４参照）が取付シート４６に接着されることで、外装カバー４に固定される。固定シート４１Ｒは中央部に開口４２を有する。検出装置２Ｒの後面２６Ｒは、電池の装着部（図示略）を有する。電池の装着部は、開口４２内に配置される。外装カバー４は後面に、面ファスナーを用いて開閉可能なポケットカバー４Ｐ（図６参照）を備える。ユーザは、ポケットカバー４Ｐを開くことで、検出装置２Ｒを外装カバー４から取り外さなくてもバッテリ（図示略）交換が可能である。
【００２６】
外装カバー４は、左カバー４Ｌに、検出装置２Ｌを保持する保持シート４１Ｌを有する。保持シート４１Ｌは、例えば透明の軟質塩化ビニールシートである。保持シート４１Ｌは、上辺、左辺および下辺の三辺が外装カバー４の縁部４５に織り込まれ、右辺は開放されている。検出装置２Ｌは、保持シート４１Ｌの右辺側から保持シート４１Ｌと左カバー４Ｌの前面との間に挿入される。保持シート４１Ｌの右辺は、左カバー４Ｌの右端よりも左方に位置する。検出装置２Ｌは、右端部が保持シート４１Ｌの右辺から右方に突出した状態で、保持シート４１Ｌに保持される。詳細は後述するが、検出装置２Ｌは、後面２６Ｌ（図４参照）側にホルダ６０を備える。ホルダ６０は、検出装置２Ｌの本体部に対して左右方向にスライド可能に構成されている。外装カバー４の左カバー４Ｌは、ホルダ６０を固定する２つの鳩目４３Ａ，４３Ｂを備える。鳩目４３Ａ，４３Ｂは、左右方向に並んで配置されている。ホルダ６０は、鳩目４３Ａ，４３Ｂに突部６７，６８（図５参照）が夫々係合し、左カバー４Ｌに固定される。ホルダ６０が左カバー４Ｌに固定されると、検出装置２Ｌは、外装カバー４の左カバー４Ｌに対して左右方向にスライド可能な状態で、保持シート４１Ｌに保持される。ホルダ６０には、正面視で左右方向に長い矩形状の第二保護シート８０が固定される。第二保護シート８０は、例えば透明の軟質塩化ビニールシートである。第二保護シート８０は、折曲部４Ｃ側に延びる。第二保護シート８０の詳細については後述する。
【００２７】
外装カバー４は、折曲部４Ｃの前面側に、上下方向に延び、折曲部４Ｃを覆う太幅の帯状体４４を備える。帯状体４４は、上下に張られた状態で上下両端が外装カバー４の上下の縁部４５に夫々織り込まれている。帯状体４４は、折曲部４Ｃの前面との間に間隙を有する。後述するが、検出装置２Ｌ，２Ｒを接続するハーネス５０と、固定シート４１Ｒの第一保護シート４７と、第二保護シート８０とは、前後方向に重ねられた状態で、帯状体４４と折曲部４Ｃの前面との間に通される。外装カバー４が開いた状態の時、帯状体４４はハーネス５０、第一保護シート４７および第二保護シート８０を覆い隠す。外装カバー４が閉じられる時（正向きに折り畳まれる時）、帯状体４４は曲げの内側に位置し、ハーネス５０、第一保護シート４７および第二保護シート８０を前方から押さえて折曲部４Ｃの前面に沿って軸線ＡＸ（図１参照）周りで曲がるように、曲げの向きを案内する。外装カバー４が逆向きに折り畳まれるとき、帯状体４４は曲げの外側に位置し、ハーネス５０、第一保護シート４７および第二保護シート８０を覆い隠す。また、外装カバー４は、ポケットカバー４Ｐを閉じた状態に押さえることができ、栞等の用途にも使用可能なバンド４８、電子ペン６のホルダ４９等を備える。ポケットカバー４Ｐと外装カバー４との間には、資料等を収納可能である。
【００２８】
次に、図３〜図５を参照し、検出装置２Ｌ，２Ｒの構造について説明する。検出装置２Ｌ，２Ｒは、前述したように、公知の電磁誘導方式で、電子ペン６が近接した時に、その位置を検出することが可能な装置である。検出装置２Ｌ，２Ｒは、正面視で上下方向に長い矩形状であり、且つ前後方向の厚みが小さい箱状体である。
【００２９】
図４に示すように、検出装置２Ｒは、前筐体８Ｒおよび後筐体９Ｒを備える。前筐体８Ｒおよび後筐体９Ｒは、上下方向に長い略矩形状の樹脂板である。前述の位置決め部２１Ｒは、前筐体８Ｒの前面に設けられている。後述するデジタイザ基板７Ｒによる電子ペン６の近接位置の検出は、前筐体８Ｒの前面側にて行われる。位置決め部２１Ｒにおける前筐体８Ｒの前面が、本実施形態における検出装置２Ｒの検出面２０Ｒである。前筐体８Ｒおよび後筐体９Ｒを組み合わせると、内部に収容空間を有する箱状体が形成される。後筐体９Ｒには、上下方向の中央よりも下方、且つ、左右方向の中央よりも左方に、前後方向に貫通する開口部９８が形成されている。開口部９８には、デジタイザ基板７Ｒに接続するハーネス５０が通される。後述するが、ハーネス５０は、一部が検出装置２Ｒの後面２６Ｒに沿って配線される。
【００３０】
検出装置２Ｒは、前筐体８Ｒおよび後筐体９Ｒの間に、デジタイザ基板７Ｒと、制御基板７１Ｒと、メイン基板１０とを収容する。デジタイザ基板７Ｒは、電子ペン６の近接位置を検出するよう構成されている。制御基板７１Ｒは、デジタイザ基板７Ｒに流す電流を制御するよう構成されている。メイン基板１０には、情報入力装置１の制御を司るＣＰＵ（図示略）が搭載されている。メイン基板１０は、電源スイッチ、発光素子、通信部など、各種スイッチ、コネクタ等の部品（図示略）を備える。これらの部品は、前筐体８Ｒの右上端部に設けられた収容部７９に収容される。メイン基板１０のＣＰＵは、近傍に位置するＰＣ等の外部装置（図示略）と無線や有線による通信が可能である。メイン基板１０は制御基板７１Ｒと電気的に接続する。制御基板７１Ｒは、デジタイザ基板７Ｒ後面の下端部に、デジタイザ基板７Ｒと一体に設けられている。
【００３１】
デジタイザ基板７Ｒは、Ｘ軸方向（具体的には左右方向）およびＹ軸方向（具体的には上下方向）の各々に細長いループコイルが多数配列された基板である。制御基板７１Ｒは、ループコイルの一本ずつに特定周波数の電流（励磁用送信電流）を流して磁界を発生させる。その結果、デジタイザ基板７Ｒに近接する電子ペン６の共振回路は、誘導磁界を生ずる。誘導磁界によってループコイルに電流（信号電流）が流れる。制御基板７１Ｒは、ループコイルに流れる信号電流を検出する。メイン基板１０のＣＰＵは、制御基板７１Ｒが検出した信号電流に基づいて電子ペン６の位置座標を経時的に求める。ＣＰＵは、位置座標に基づいて電子ペン６の軌跡を示すストロークデータを生成する。ＣＰＵは、ストロークデータを、情報入力装置１に接続された外部装置（ＰＣ等）に対して出力する。
【００３２】
検出装置２Ｌは、検出装置２Ｒと同様に、前筐体８Ｌおよび後筐体９Ｌを備える。前筐体８Ｌおよび後筐体９Ｌは、上下方向に長い略矩形状の樹脂板である。前述の位置決め部２１Ｌは、前筐体８Ｌの前面に設けられている。後述するデジタイザ基板７Ｌによる電子ペン６の近接位置の検出は、前筐体８Ｌの前面側にて行われる。位置決め部２１Ｌにおける前筐体８Ｌの前面が、本実施形態における検出装置２Ｌの検出面２０Ｌである。前筐体８Ｌおよび後筐体９Ｌを組み合わせると、内部に収容空間を有する箱状体が形成される。
【００３３】
検出装置２Ｌは、前筐体８Ｌおよび後筐体９Ｌの間に、デジタイザ基板７Ｌと、制御基板７１Ｌとを収容する。デジタイザ基板７Ｌは、電子ペン６の近接位置を検出するよう構成されている。制御基板７１Ｌは、デジタイザ基板７Ｌに流す電流を制御するよう構成されている。制御基板７１Ｌは、デジタイザ基板７Ｌの後面の下端部に、デジタイザ基板７Ｌと一体に設けられている。デジタイザ基板７Ｌおよび制御基板７１Ｌは、検出装置２Ｒのデジタイザ基板７Ｒおよび制御基板７１Ｒと同様の構成であり、公知の電磁誘導方式による電子ペン６の近接位置を検知することができる。
【００３４】
図３、図４に示すように、制御基板７１Ｒと制御基板７１Ｌとは、ハーネス５０によって接続される。ハーネス５０は、制御基板７１Ｒと制御基板７１Ｌとを電気的に接続するパターンが形成されたフレキシブル基板である。つまり、ハーネス５０は、複数の導電路が形成された可撓性を有する絶縁フィルムである。ハーネス５０の一端側の端子部５１Ａは制御基板７１Ｒに接続し、他端側の端子部５３Ａは制御基板７１Ｌに接続する。図５に示すように、端子部５１Ａと端子部５３Ａの間の一部分は、前後方向に二層に重なって折り畳まれた状態で配線される。ハーネス５０が折り畳まれた部分には、ハーネス５０を保護するホルダ６０が設けられている。ハーネス５０およびホルダ６０の詳細については後述する。
【００３５】
上述のように、左カバー４Ｌ（図１参照）は、検出装置２Ｌを左右方向にスライド可能に保持する。右カバー４Ｒ（図１参照）は、検出装置２Ｒを固定する。即ち、左カバー４Ｌは、外装カバー４が開かれた状態において、検出装置２Ｌを、検出装置２Ｒに対して近接する方向および離間する方向に移動可能に保持する。制御基板７１Ｒと制御基板７１Ｌとを接続するハーネス５０およびホルダ６０は、検出装置２Ｌを検出装置２Ｒに対して移動可能な構成とするため、以下のように構成されている。図４、図５に示すように、後筐体９Ｌには、上下方向の中央よりも下方、且つ、左右方向の中央よりも右方に、前後方向に貫通する開口部９１が形成されている。開口部９１は左右方向に長い略矩形状である。後筐体９Ｌは、前面に、開口部９１の周囲に形成された凹部９６を有する。凹部９６は、ホルダ６０の鍔部６５に係合する。凹部９６は、ホルダ６０を左右方向にスライド可能に支持する。
【００３６】
ホルダ６０は、本体部６１と２つの鍔部６５とを含む。本体部６１は、正面視で左右方向に長い矩形状、且つ前後方向に短い箱状に構成され、前側および右側の壁部が形成されていない。本体部６１は、後筐体９Ｌの開口部９１内に配置される。ホルダ６０は、開口部９１の上縁と下縁によって、上下方向への移動が規制される。ホルダ６０は、左右方向において、本体部６１と開口部９１との長さの差異分、移動可能である。
【００３７】
２つの鍔部６５は、夫々上側および下側の壁部の前端部から、上方および下方へ向けて突出する。鍔部６５は、後筐体９Ｌの凹部９６に係合する。ホルダ６０の本体部６１が開口部９１内に配置された時、鍔部６５の後面は凹部９６の前面に接触し、鍔部６５の前面はデジタイザ基板７Ｌの後面に接触する。ホルダ６０は、開口部９１の左縁部に本体部６１の左端が接触する位置から、開口部９１の右縁部に本体部６１の右端が接触する位置までの範囲内で、左右方向にスライドすることができる。
【００３８】
本体部６１の後側壁部には、後方へ向けて円筒状に突起する２つの突部６７，６８が設けられている。突部６７は、本体部６１の後側壁部の左端部に設けられる。突部６７は、外装カバー４に設けられた鳩目４３Ａ（図３参照）に係合する。突部６８は、本体部６１の後側壁部の右端部に設けられる。突部６８は、鳩目４３Ｂに係合する。外装カバー４の鳩目４３Ａ，４３Ｂに突部６７，６８を係合することによって、ホルダ６０は、鍔部６５で検出装置２Ｌを外装カバー４に支持する。
【００３９】
図３、図５に示すように、ハーネス５０は、右側接続部５１、中間部５２、左側接続部５３を含む。右側接続部５１は、ハーネス５０の一端に設けられた端子部５１Ａを含み、少なくとも一部が検出装置２Ｒの後面２６Ｒと右カバー４Ｒとの間に配置される部位である。端子部５１Ａは、制御基板７１Ｒのコネクタ部（図示略）に、左側から差し込んで接続する。右側接続部５１は、端子部５１Ａの左側の位置で後方へ向けて段状に曲がり、後筐体９Ｒの開口部９８を通って後面２６Ｒに露出される。右側接続部５１は、開口部９８よりも左方へ延びた位置で上方側へ向けて折れ曲がり、検出装置２Ｒの後面２６Ｒに沿って上方へ延び、端子部５１Ａとは反対側の端部５１Ｃが、検出装置２Ｒの上下方向における端部よりも中央に近い位置に配置される。なお、端子部５１Ａと端部５１Ｃとの間で後面２６Ｒに沿って上下方向に延びる部位を、延伸部５１Ｂという。
【００４０】
中間部５２は、検出装置２Ｒと検出装置２Ｌとの間で左右方向に延びる部位である。中間部５２は、右側接続部５１の端部５１Ｃから左方へ向けて延び、左側接続部５３の端部５３Ｃに接続する。中間部５２は、検出装置２Ｌ，２Ｒの上下方向における端部よりも中央に近い位置で、検出装置２Ｒと検出装置２Ｌとの間を繋ぎ、ホルダ６０へ向けて延びる。
【００４１】
左側接続部５３は、ハーネス５０の他端に設けられた端子部５３Ａを含み、少なくとも一部が検出装置２Ｌの後面２６Ｌと左カバー４Ｌとの間に配置される部位である。端子部５３Ａは、制御基板７１Ｌのコネクタ部（図示略）に、右側から差し込んで接続する。左側接続部５３は、検出装置２Ｌ内で、端子部５３Ａから右方へ延びた位置で上方へ向けて折れ曲がり、検出装置２Ｌの上下方向における端部よりも中央に近い位置へ向けて上方へ延びる。左側接続部５３は、検出装置２Ｌの上下方向中央に近い位置で左方へ折れ曲がり、開口部９１内に延びる。左側接続部５３は、開口部９１に配置されたホルダ６０の本体部６１内で上下方向を軸に後方側へ曲がって１８０度折返し、右方へ向けて延びる。左側接続部５３のうち、上下方向を軸に曲がって１８０度折返す部位を、屈曲部５３Ｂという。左側接続部５３は、屈曲部５３Ｂが円弧状に維持された状態で、前後方向に二層に重なってホルダ６０内に配置される。屈曲部５３Ｂは、ホルダ６０が左右方向へ移動することに伴い無限軌道（履帯）ベルトのような変形を生ずる部位である。左側接続部５３は、ホルダ６０内で、後側の層が屈曲部５３Ｂから右方へ延び、ホルダ６０から右方に露出する位置で後方へ向けて段状に曲がり、端子部５３Ａとは反対側の端部５３Ｃが、検出装置２Ｌの後面２６Ｌと左カバー４Ｌとの間に配置される。左側接続部５３は、端部５３Ｃにおいて中間部５２と接続する。
【００４２】
図３に示すように、ハーネス５０の中間部５２は、外装カバー４の帯状体４４と折曲部４Ｃの前面との間を通して配線される。ハーネス５０の中間部５２において、外装カバー４が正向きまたは逆向きに折り曲げられる場合に、折曲部４Ｃの曲げに合わせて屈曲する部位を、屈曲部５２Ａという。上述したように、固定シート４１Ｒの一部位である第一保護シート４７は、取付シート４６の左端で上下方向中央よりも下端側の位置から左方に延び、帯状体４４と折曲部４Ｃの前面との間に通される。第一保護シート４７は、折曲部４Ｃの前面と屈曲部５２Ａとの間に配置される第一配置部４７Ａを有する。即ち、第一配置部４７Ａは、ハーネス５０の後側に配置される。
【００４３】
中間部５２は、第一配置部４７Ａの前側、且つ、上下方向において第一配置部４７Ａ内に配置される。第一保護シート４７の第一配置部４７Ａは、上下方向の長さＬ２が、ハーネス５０の中間部５２における上下方向の長さＬ１よりも長く構成されている。第一配置部４７Ａの上下方向の長さＬ２は、中間部５２の上下方向の長さＬ１より、少なくとも２０ｍｍ以上長い。より詳細に、第一配置部４７Ａの上下方向両側の端部と、中間部５２の上下方向両側の端部との間の長さＬ３，Ｌ４は、夫々１０ｍｍ以上の長さが確保されている。この構成によって、第一配置部４７Ａは、外装カバー４の後面側で生じ、折曲部４Ｃの織り目を厚み方向に通過した静電気が中間部５２に到達するまで、第一配置部４７Ａの前面に沿って静電気が移動する沿面距離を、少なくとも１０ｍｍ以上確保できる。さらに、静電気が中間部５２の後側で発生した場合、第一配置部４７Ａは、第一配置部４７Ａの後面に沿って端部まで１０ｍｍ以上、且つ、第一配置部４７Ａの前面に沿って端部から中間部５２に到達するまでさらに１０ｍｍ以上の沿面距離を確保することができる。
【００４４】
また、ハーネス５０の右側接続部５１の延伸部５１Ｂは、第一配置部４７Ａの前側、且つ、上下方向において第一配置部４７Ａ内に配置され、検出装置２Ｒの後面２６Ｒに露出されている。外装カバー４の開閉時に左右方向とは異なる向きの捻りが生じた場合、ハーネス５０の延伸部５１Ｂは、絶縁性のシートが設けられていない折曲部４Ｃ側にはみ出す可能性がある。第一配置部４７Ａは、上下方向の長さＬ２が、延伸部５１Ｂが上下方向に延びる長さＬ５よりも長く構成されている。第一配置部４７Ａの上下方向の長さＬ２は、延伸部５１Ｂの上下方向の長さＬ５より、少なくとも２０ｍｍ以上長い。より詳細に、第一配置部４７Ａの上下方向両側の端部と、延伸部５１Ｂの上下方向両側の端部との間の長さＬ３，Ｌ７は、夫々１０ｍｍ以上の長さが確保されている。これにより、折曲部４Ｃの織り目を厚み方向に通過した静電気が延伸部５１Ｂに到達するまで、第一配置部４７Ａの前面に沿って静電気が移動する沿面距離を、少なくとも１０ｍｍ以上確保できる。さらに、延伸部５１Ｂが折曲部４Ｃ側にはみ出した場合でも、延伸部５１Ｂと折曲部４Ｃとの間に第一配置部４７Ａが配置された状態を維持することができる。
【００４５】
次に、上述したように、第二保護シート８０は、ホルダ６０に固定されている。第二保護シート８０は、ホルダ６０の位置から右方に延び、帯状体４４と折曲部４Ｃの前面との間に通される。第二保護シート８０は、折曲部４Ｃの前面と屈曲部５２Ａとの間に配置される第二配置部８０Ａを有する。即ち、第二配置部８０Ａは、ハーネス５０の後側に配置される。さらに、第二保護シート８０は、第一保護シート４７の前側に配置される。即ち、折曲部４Ｃの前面と屈曲部５２Ａとの間に、第一配置部４７Ａと第二配置部８０Ａとが前後方向に重なって配置される。
【００４６】
中間部５２は、第二配置部８０Ａの前側、且つ、上下方向において第二配置部８０Ａ内に配置される。第二配置部８０Ａは、上下方向の長さＬ８が、中間部５２の上下方向の長さＬ１よりも長く構成されている。第二配置部８０Ａの上下方向の長さＬ８は、中間部５２の上下方向の長さＬ１より、少なくとも２０ｍｍ以上長い。より詳細に、第二配置部８０Ａの上下方向両側の端部と、中間部５２の上下方向両側の端部との間の長さＬ９，Ｌ１０は、夫々１０ｍｍ以上の長さが確保されている。この構成によって、第二配置部８０Ａは、外装カバー４の後面側で生じ、折曲部４Ｃの織り目を厚み方向に通過した静電気が中間部５２に到達するまで、第二配置部８０Ａの前面に沿って静電気が移動する沿面距離を、少なくとも１０ｍｍ以上確保できる。さらに、静電気が中間部５２の後側で発生した場合、第二配置部８０Ａは、第二配置部８０Ａの後面に沿って端部まで１０ｍｍ以上、且つ、第二配置部８０Ａの前面に沿って端部から中間部５２に到達するまでさらに１０ｍｍ以上の沿面距離を確保することができる。
【００４７】
次に、図６、図７を参照し、外装カバー４が折り畳まれた場合におけるハーネス５０の状態について説明する。図６に示すように、情報入力装置１が正向きに折り畳まれる場合、外装カバー４は、検出装置２Ｌと検出装置２Ｒとを左カバー４Ｌと右カバー４Ｒとの間に挟んだ状態で、折り畳まれる。検出装置２Ｌ，２Ｒの厚みで左カバー４Ｌと右カバー４Ｒとの距離が前後方向において離れるため、折曲部４Ｃは、軸線ＡＸの周りで比較的緩やかな弧を描き、１８０度折り返して曲げられる。第一保護シート４７の第一配置部４７Ａ、および第二保護シート８０の第二配置部８０Ａは、折曲部４Ｃの内面側に位置し、第二配置部８０Ａが第一配置部４７Ａよりも内面側に位置する。第一配置部４７Ａは、折曲部４Ｃの内面（つまり外装カバー４を開いた場合の前面）に沿って、折曲部４Ｃの曲げの曲率半径Ｒ１より小さな曲率半径Ｒ２で、１８０度折り返して曲げられる。第二配置部８０Ａは、第一配置部４７Ａの内面に沿って、第一配置部４７Ａの曲げの曲率半径Ｒ２より小さな曲率半径Ｒ３で、１８０度折り返して曲げられる。故に、第一配置部４７Ａと第二配置部８０Ａとは、重なった状態を維持する。第一配置部４７Ａと第二配置部８０Ａとが重なる部分の面積は、折り曲げ前よりも大きくなる。
【００４８】
ハーネス５０の中間部５２の屈曲部５２Ａは、折曲部４Ｃの内面側に配置される。第一配置部４７Ａおよび第二配置部８０Ａは、屈曲部５２Ａと折曲部４Ｃとの間に配置されている。従って、屈曲部５２Ａは、第二配置部８０Ａの内面に沿って、第二配置部８０Ａの曲げの曲率半径Ｒ３より小さな曲率半径Ｒ４で、軸線ＡＸの周りで１８０度折り返して曲げられる。第一配置部４７Ａと第二配置部８０Ａが、比較的緩やかな曲率半径Ｒ１で曲がる折曲部４Ｃの前面に沿うので、屈曲部５２Ａは、曲率半径Ｒ４が折曲部４Ｃの曲率半径Ｒ１よりも小さいが、比較的緩やかな曲がりを示す。従って、外装カバー４が正向きに折り畳まれた場合、屈曲部５２Ａには曲げの負荷がかかりにくく、ハーネス５０の破損、断線等を防止することができる。
【００４９】
ところで、図１に示すように、情報入力装置１には、例えば、レポート用紙３が装着される場合がある。レポート用紙３は、矩形の用紙を複数枚重ね、一方の短辺を綴じた記録媒体である。レポート用紙３は、裏表紙３Ｂが、例えば検出装置２Ｒの位置決め部２１Ｒに接着部２２Ｒで接着固定され、検出装置２Ｒに装着される。
【００５０】
レポート用紙３が装着された情報入力装置１は、逆向きに折り畳まれて使用される場合がある。図７に示すように、外装カバー４は、検出装置２Ｌと検出装置２Ｒとを夫々外側に配置した状態で、左カバー４Ｌと右カバー４Ｒの後面同士を向き合わせた状態で、折り畳まれる。情報入力装置１が逆向きに折り畳まれる場合、左カバー４Ｌと右カバー４Ｒとの距離が前後方向において近づくため、折曲部４Ｃは、軸線ＡＸの周りで、外装カバー４を正向きに折り畳んだ場合の曲率半径Ｒ１（図６参照）よりも小さい曲率半径Ｒ５で、１８０度折り返して曲げられる。第一配置部４７Ａおよび第二配置部８０Ａは、折曲部４Ｃの外面側に位置し、第二配置部８０Ａが第一配置部４７Ａよりも外面側に位置する。第一配置部４７Ａは、折曲部４Ｃの外面（つまり外装カバー４を開いた場合の後面）に沿って、折曲部４Ｃの曲げの曲率半径Ｒ５よりも大きな曲率半径Ｒ６で曲げられる。第二配置部８０Ａは、第一配置部４７Ａの外面に沿って、第一配置部４７Ａの曲げの曲率半径Ｒ６より大きな曲率半径Ｒ７で曲げられる。第一配置部４７Ａと第二配置部８０Ａとは、重なる部分の面積が折り曲げ前よりも小さくなるが、互いに重なった状態を維持する。
【００５１】
屈曲部５２Ａは、折曲部４Ｃの外面側に配置される。第一配置部４７Ａおよび第二配置部８０Ａは、屈曲部５２Ａと折曲部４Ｃとの間に配置されている。従って、屈曲部５２Ａは、第二配置部８０Ａの外面に沿って、軸線ＡＸの周りで１８０度折り返して曲げられる。即ち、屈曲部５２Ａは、第一配置部４７Ａおよび第二配置部８０Ａに内側から支えられた状態で曲げられる。上述したように、第一配置部４７Ａは、折曲部４Ｃの曲率半径Ｒ５よりも大きな曲率半径Ｒ６で曲げられている。第二配置部８０Ａは、第一配置部４７Ａの曲率半径Ｒ６よりも大きな曲率半径Ｒ７で曲げられている。故に、屈曲部５２Ａの曲率半径Ｒ８は、折曲部４Ｃの曲率半径Ｒ５、第一配置部４７Ａの曲率半径Ｒ６および第二配置部８０Ａの曲率半径Ｒ７よりも大きくなる。屈曲部５２Ａは、第一配置部４７Ａおよび第二配置部８０Ａが設けられていない場合と比べて、曲げの曲率半径Ｒ８を大きく確保することができる。従って、外装カバー４が逆向きに折り畳まれた場合でも、屈曲部５２Ａには曲げの負荷がかかりにくく、ハーネス５０の破損、断線等を防止することができる。また、逆向きに折り畳まれた場合には、帯状体４４がハーネス５０よりも外面側に配置されるので、ハーネス５０は、帯状体４４に覆い隠されて外部に露出されず、異物等の接触による破損等から保護される。
【００５２】
また、情報入力装置１が逆向きに折り畳まれて使用される場合、屈曲部５２Ａ付近に、例えば外部から前後方向に押圧力が加えられる場合がある。この場合、屈曲部５２Ａを内面側で支える第一配置部４７Ａおよび第二配置部８０Ａは前後方向に撓む。しかし、第一配置部４７Ａおよび第二配置部８０Ａは、折り返しの略中央部分において厚み方向が前後方向と交差する。このため、第一配置部４７Ａおよび第二配置部８０Ａは、折り返しの略中央部分においては、前後方向に外部からの押圧力が加えられても撓みにくい。つまり、第一配置部４７Ａおよび第二配置部８０Ａは、折り返しの略中央部分において屈曲部５２Ａの曲率半径Ｒ８を維持しやすい。従って、外装カバー４が逆向きに折り畳まれ、且つ、屈曲部５２Ａ付近が前後方向に押圧された場合でも、屈曲部５２Ａには曲げの負荷がかかりにくく、ハーネス５０の破損、断線等を防止することができる。
【００５３】
以上説明したように、外装カバー４の折曲部４Ｃが逆向きに折り曲げられた場合に、ハーネス５０の中間部５２と折曲部４Ｃとの間に配置された第一配置部４７Ａおよび第二配置部８０Ａの少なくとも一方が、ハーネス５０を曲げの内面側で支える。故に、第一配置部４７Ａまたは第二配置部８０Ａは、ハーネス５０の曲げの曲率半径Ｒ８を、第一配置部４７Ａおよび第二配置部８０Ａがない場合と比べて大きくすることができ、ハーネス５０を、折損、導電路の断線等から保護することができる。
【００５４】
また、右カバー４Ｒ側と左カバー４Ｌ側から夫々第一配置部４７Ａと第二配置部８０Ａを延ばすことで、折曲部４Ｃの曲げに伴い第一配置部４７Ａと第二配置部８０Ａの互いの位置関係が変化しても、第一配置部４７Ａと第二配置部８０Ａは、中間部５２と折曲部４Ｃの間に配置された状態を維持することができる。そして、外装カバー４の折曲部４Ｃが逆向きに折り曲げられた場合に、第一配置部４７Ａおよび第二配置部８０Ａの少なくとも一方が、ハーネス５０の屈曲部５２Ａと折曲部４Ｃとの間に配置され、ハーネス５０を曲げの内面側で支える。故に、第一配置部４７Ａおよび第二配置部８０Ａの少なくとも一方は、ハーネス５０の屈曲部５２Ａにおける曲げの曲率半径Ｒ８を、第一配置部４７Ａおよび第二配置部８０Ａがない場合と比べて大きくすることができ、ハーネス５０を、折損、導電路の断線等から保護することができる。
【００５５】
また、第一配置部４７Ａと第二配置部８０Ａは、折曲部４Ｃの曲げの向きに関わらず、屈曲部５２Ａと折曲部４Ｃとの間で重なって配置される。すなわち、第一配置部４７Ａと第二配置部８０Ａは、折曲部４Ｃの曲げに伴い互いの位置関係が変化しても、屈曲部５２Ａと折曲部４Ｃとの間で重なった状態を維持することができる。よって、第一配置部４７Ａと第二配置部８０Ａは、外装カバー４の折曲部４Ｃが逆向きに折り曲げられた場合に、ハーネス５０を曲げの内面側で二重に支えることができる。故に、第一配置部４７Ａと第二配置部８０Ａとは、ハーネス５０の屈曲部５２Ａにおける曲げの曲率半径Ｒ８を、第一配置部４７Ａおよび第二配置部８０Ａがない場合と比べて大きくすることができ、ハーネス５０を、折損、導電路の断線等から保護することができる。
【００５６】
また、折曲部４Ｃを挟んで右カバー４Ｒと左カバー４Ｌとの間にひねりが生じた場合、第一配置部４７Ａと第二配置部８０Ａとが上下方向にずれる可能性がある。第一配置部４７Ａと第二配置部８０Ａの一方が他方より上下方向に長いので、ひねりが生じても、第一配置部４７Ａと第二配置部８０Ａは、前記折曲部４Ｃと前記ハーネス５０の前記屈曲部５２Ａとの間で重なりを維持し、第一方向において隙間を生じない。故に、外装カバー４の折曲部４Ｃが逆向きに折り曲げられた場合に、第一配置部４７Ａと第二配置部８０Ａは、ハーネス５０を曲げの内面側で二重に支えることができる。よって、第一配置部４７Ａと第二配置部８０Ａとは、ハーネス５０の屈曲部５２Ａにおける曲げの曲率半径Ｒ８を、第一配置部４７Ａおよび第二配置部８０Ａがない場合と比べて大きくすることができ、ハーネス５０を、折損、導電路の断線等から保護することができる。
【００５７】
また、第一保護シート４７の第一配置部４７Ａはハーネス５０の延伸部５１Ｂよりも上下方向に長いので、折曲部４Ｃを挟み、右カバー４Ｒと左カバー４Ｌとの間においてひねりを生じ、延伸部５１Ｂが折曲部４Ｃ側にはみ出た場合でも、延伸部５１Ｂは、折曲部４Ｃとの間に第一配置部４７Ａを配置させることができる。故に、外装カバー４の折曲部４Ｃが逆向きに折り曲げられた場合に、第一配置部４７Ａは、延伸部５１Ｂを曲げの内面側で支えることができ、延伸部５１Ｂを、折損、導電路の断線等から保護することができる。
【００５８】
また、第一配置部４７Ａおよび第二配置部８０Ａは、外装カバー４の外部から折曲部４Ｃを通して内部に侵入した静電気がハーネス５０に向かう経路において、静電気を回り込ませる沿面距離を確保することができる。故に、保護部材は、ハーネス５０を静電気から保護することができる。
【００５９】
また、第一保護シート４７を固定シート４１Ｒの一部位として設けることで部品点数を減らすことができ、情報入力装置１の組み立てを容易にすることができる。また、第一保護シート４７を右カバー４Ｒに確実に固定することができる。
【００６０】
また、折曲部４Ｃを挟んで右カバー４Ｒと左カバー４Ｌとの間にひねりが生じた場合、ハーネス５０の中間部５２が折曲部４Ｃに対して位置ずれする可能性がある。この場合に、中間部５２に接続する左側接続部５３と、左側接続部５３を覆うホルダ６０が、中間部５２の位置ずれに合わせて動くので、第二保護シート８０は、ホルダ６０とともに中間部５２の位置ずれに合わせて動く。故に、中間部５２が折曲部４Ｃに対して位置ずれしても、第二配置部８０Ａは、中間部５２と折曲部４Ｃとの間に配置された状態を維持することができ、ハーネス５０を、折損、導電路の断線等から保護することができる。
【００６１】
また、折曲部４Ｃが逆向きに曲げられた場合、帯状体４４は、ハーネス５０を覆い隠すことができる。折曲部４Ｃが第一向きに曲げられた場合、帯状体４４は、ハーネス５０が折曲部４Ｃの曲げの内面に沿って曲がるようにハーネス５０を押さえ、曲げの向きを案内することができる。
【００６２】
上述の実施形態に対して、種々の変更が可能である。検出装置２Ｌ，２Ｒは、公知の電磁誘導方式で電子ペン６の位置を検出するが、抵抗膜方式（いわゆる感圧式）、静電容量方式等、その他の方式を用い、検出対象体の検出装置２Ｌ，２Ｒへの近接または接触を検出してもよい。ノート５、レポート用紙３のサイズ、フォーマット、材質などは、上記実施形態に限定されない。ノート５、レポート用紙３を検出装置２Ｌ，２Ｒに取り付ける方法は、上記実施形態で例示された方法に限定されない。
【００６３】
上記実施形態は、第一保護シート４７が固定シート４１Ｒの一部位であり、取付シート４６と一体に形成された例である。第一保護シート４７は、取付シート４６と別体のものであってもよい。また、第一保護シート４７の上下方向の長さＬ２は、少なくともハーネス５０の中間部５２の上下方向の長さＬ１より長ければよく、例えば延伸部５１Ｂの上下方向の長さＬ５より短くてもよい。第一保護シート４７と第二保護シート８０は、いずれか一方が外装カバー４に設けられてもよい。第一保護シート４７の第一配置部４７Ａは、第二保護シート８０の第二配置部８０Ａよりも後側（折曲部４Ｃ側）に配置されたが、第二配置部８０Ａよりも前側（帯状体４４側）に配置されてもよい。
【００６４】
第一保護シート４７および第二保護シート８０は、透明の軟質塩化ビニールシートに限らず、可撓性を有する材料から形成されればよい。
【００６５】
上記実施形態では、電子ペン６が、本発明の「筆記具」の一例である。検出面２０Ｒおよび２０Ｌが、夫々「第一検出面」および「第二検出面」の一例である。右表紙５Ｒおよび左表紙５Ｌが、夫々「第一表紙」および「第二表紙」の一例である。検出装置２Ｒおよび２Ｌが、夫々「第一検出装置」および「第二検出装置」の一例である。後面２６Ｒおよび後面２６Ｌが、夫々「第一裏面」および「第二裏面」の一例である。右カバー４Ｒおよび左カバー４Ｌが、夫々「固定部」および「保持部」の一例である。正向きおよび逆向きが、夫々「第一向き」および「第二向き」の一例である。外装カバー４が「連結部材」の一例である。制御基板７１Ｒおよび７１Ｌが、夫々「第一回路部」および「第二回路部」の一例である。端子部５１Ａおよび５３Ａが、夫々「第一端子部」および「第二端子部」の一例である。右側接続部５１および左側接続部５３が、夫々「第一接続部」および「第二接続部」の一例である。ハーネス５０が「接続線」の一例である。左右方向および上下方向が、夫々「第一方向」および「第二方向」の一例である。第一保護シート４７および第二保護シート８０が、夫々「第一保護部材」および「第二保護部材」の一例である。屈曲部５２Ａが、本発明の「屈曲部」の一例である。固定シート４１Ｒが「固定部材」の一例である。ホルダ６０が「第一被覆部材」の一例である。凹部９６が「支持部」の一例である。帯状体４４が「第二被覆部材」の一例である。
【符号の説明】
【００６６】
１                情報入力装置
２Ｌ，２Ｒ        検出装置
３                レポート用紙
４                外装カバー
４Ｃ              折曲部
４Ｌ              左カバー
４Ｒ              右カバー
５                ノート
５Ｌ              左表紙
５Ｒ              右表紙
６                電子ペン
２０Ｌ，２０Ｒ    検出面
２６Ｌ，２６Ｒ    後面
４１Ｒ            固定シート
４４              帯状体
４７              第一保護シート
４７Ａ            第一配置部
５０              ハーネス
５１              右側接続部
５１Ａ，５３Ａ    端子部
５１Ｂ            延伸部
５２              中間部
５２Ａ            屈曲部
５３              左側接続部
５３Ｂ            屈曲部
６０              ホルダ
７１Ｌ，７１Ｒ    制御基板
８０              第二保護シート
８０Ａ            第二配置部
９６              凹部
【図１】
2016024754.tif 000003
【図２】
2016024754.tif 000004
【図３】
2016024754.tif 000005
【図４】
2016024754.tif 000006
【図５】
2016024754.tif 000007
【図６】
2016024754.tif 000008
【図７】
2016024754.tif 000009